【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
カラー電子写真画像形成装置の装置本体から取り出し可能に設けられた感光体を保持する感光体カートリッジと、
前記感光体カートリッジから取り出し可能に設けられる、前記感光体に形成される静電潜像を現像剤像に現像するための現像ローラを備える複数の現像カートリッジと、
前記感光体カートリッジを前記装置本体から取り出し可能に前記感光体カートリッジをガイドする前記装置本体に設けられた本体側ガイド部と、
前記複数の現像カートリッジを独立して前記感光体カートリッジから取り出し可能に前記現像カートリッジをガイドする、前記感光体カートリッジに設けられた感光体カートリッジ側ガイド部と、
前記感光体カートリッジの移動を規制する前記感光体カートリッジに設けられた規制部と、
前記感光体カートリッジを取り出すための把手部と、
を備え、前記規制部は、前記装置本体に前記感光体カートリッジが装着された状態で前記現像カートリッジを取り出す動作を行なった時に、前記感光体カートリッジが前記装置本体から取り出される方向に移動することを規制する第１の位置と、前記感光体カートリッジが前記装置本体から取り出される方向に移動することを許容する第２の位置とを取ることが可能であり、前記把手部を動かすことにより前記規制部を第１の位置から第２の位置に変更することが可能であることを特徴とするカラー電子写真画像形成装置。
【請求項２】
前記現像カートリッジが前記感光体カートリッジから取り出されることを禁止する第３の位置と、前記現像カートリッジが前記感光体カートリッジから取り出されることを許容する第４の位置とを取ることが可能な、前記感光体カートリッジに設けられた禁止部材を備え、前記規制部が前記第２の位置にある時に、前記禁止部材は、前記第３の位置にあり、前記規制部が前記第１の位置にある時に、前記禁止部材は、前記第４の位置にあることを特徴とする請求項１に記載のカラー電子写真画像形成装置。
【請求項３】
カラー電子写真画像形成装置の装置本体から取り出し可能に設けられた感光体を保持する感光体カートリッジと、
前記感光体カートリッジから取り出し可能に設けられ、前記感光体に形成される静電潜像を現像剤像に現像するための現像ローラを備える複数の現像カートリッジと、
前記感光体カートリッジを前記装置本体から取り出し可能に前記感光体カートリッジをガイドする前記装置本体に設けられた本体側ガイド部と、
前記複数の現像カートリッジを独立して前記感光体カートリッジから取り出し可能に前記現像カートリッジをガイドする、前記感光体カートリッジに設けられた感光体カートリッジ側ガイド部と、
前記感光体カートリッジが前記装置本体から取り外された状態で、前記感光体を前記感光体カートリッジから取り出し可能な第５の位置と、前記感光体を前記感光体カートリッジからの取り出しを禁止する第６の位置と、をとることが可能な前記感光体カートリッジに設けられた取り出し部と、
を備えることを特徴とするカラー電子写真画像形成装置。
【請求項４】
前記感光体カートリッジは、前記取り出し部が前記第５の位置にある時に、前記現像カートリッジが、前記感光体の方向に移動するのを規制する現像カートリッジ移動規制部を備えることを特徴とする請求項３に記載のカラー電子写真画像形成装置。
【請求項５】
前記感光体カートリッジの移動を規制する前記感光体カートリッジに設けられた規制部と、前記感光体カートリッジを取り出すための把手部と、を備え、前記規制部は、前記装置本体に前記感光体カートリッジが装着された状態で前記現像カートリッジを取り出す動作を行なった時に、前記感光体カートリッジが前記装置本体から取り出される方向に移動することを規制する第１の位置と、前記感光体カートリッジが前記装置本体から取り出される方向に移動することを許容する第２の位置とを取ることが可能であり、前記把手部を動かすことにより前記規制部を第１の位置から第２の位置に変更することが可能であることを特徴とする請求項３又は４に記載のカラー電子写真画像形成装置。
【請求項６】
前記装置本体に設けられた開閉可能な扉を有し、前記扉と前記感光体カートリッジとの間に、前記扉の開き動作に連動して前記感光体カートリッジを前記装置本体から引き出すリンク機構を備えたことを特徴とした請求項３乃至５のいずれか一項に記載のカラー電子写真画像形成装置。
【請求項７】
前記複数の現像カートリッジを前記感光体カートリッジに装着させたまま、前記感光体を前記感光体カートリッジから取り外し可能であることを特徴とする請求項３乃至６のいずれか１項に記載のカラー電子写真画像形成装置。
【請求項８】
前記複数の現像カートリッジに備えられた現像ローラは、前記感光体の曲率をもった周面に対向することを特徴とする請求項３乃至７のいずれか１項に記載のカラー電子写真画像形成装置。
【請求項９】
前記感光体を前記感光体カートリッジから取り出す時に、前記感光体が、前記感光体の軸方向又は前記現像カートリッジと離隔する方向に移動可能なように設けられていることを特徴とする請求項３乃至８のいずれか１項に記載のカラー電子写真画像形成装置。
【請求項１０】
カラー電子写真画像形成装置の装置本体から取り出し可能に設けられた感光体を保持する感光体カートリッジであって、
前記感光体カートリッジをガイドする前記装置本体に設けられた本体側ガイド部にガイドされる被ガイド部と、
前記感光体に形成される静電潜像を現像剤像に現像するための現像ローラを備える複数の現像カートリッジを独立して前記感光体カートリッジから取り出し可能にガイドする、前記感光体カートリッジに設けられた感光体カートリッジ側ガイド部と、
前記感光体カートリッジの移動を規制する規制部と、
前記感光体カートリッジを取り出すための把手部と、
を備え、前記規制部は、前記装置本体に前記感光体カートリッジが装着された状態で前記現像カートリッジを取り出す動作を行なった時に、前記感光体カートリッジが前記装置本体から取り出される方向に移動することを規制する第１の位置と、前記感光体カートリッジが前記装置本体から取り出される方向に移動することを許容する第２の位置とを取ることが可能であり、前記把手部を動かすことにより前記規制部を第１の位置から第２の位置に変更することが可能であることを特徴とする感光体カートリッジ。
【請求項１１】
前記現像カートリッジが前記感光体カートリッジから取り出されることを禁止する第３の位置と、前記現像カートリッジが前記感光体カートリッジから取り出されることを許容する第４の位置とを取ることが可能な、前記感光体カートリッジに設けられた禁止部材を備え、前記規制部が前記第２の位置にある時に、前記禁止部材は、前記第３の位置にあり、前記規制部が前記第１の位置にある時に、前記禁止部材は、前記第４の位置にあることを特徴とする請求項１０に記載の感光体カートリッジ。
【請求項１２】
カラー電子写真画像形成装置の装置本体から取り出し可能に設けられた感光体を保持する感光体カートリッジであって、
前記感光体カートリッジをガイドする前記装置本体に設けられた本体側ガイド部にガイドされる被ガイド部と、
前記感光体に形成される静電潜像を現像剤像に現像するための現像ローラを備える複数の現像カートリッジを独立して前記感光体カートリッジから取り出し可能にガイドする、前記感光体カートリッジに設けられた感光体カートリッジ側ガイド部と、
前記感光体カートリッジが前記装置本体から取り外された状態で、前記感光体を前記感光体カートリッジから取り出し可能な第５の位置と、前記感光体を前記感光体カートリッジからの取り出しを禁止する第６の位置と、をとることが可能な取り出し部と、
を備えることを特徴とする感光体カートリッジ。
【請求項１３】
前記感光体カートリッジは、前記取り出し部が前記第５の位置にある時に、前記現像カートリッジが、前記感光体の方向に移動するのを規制する現像カートリッジ移動規制部を備えることを特徴とする請求項１２に記載の感光体カートリッジ。
【請求項１４】
前記感光体カートリッジの移動を規制する規制部と、前記感光体カートリッジを取り出すための把手部と、を備え、前記規制部は、前記装置本体に前記感光体カートリッジが装着された状態で前記現像カートリッジを取り出す動作を行なった時に、前記感光体カートリッジが前記装置本体から取り出される方向に移動することを規制する第１の位置と、前記感光体カートリッジが前記装置本体から取り出される方向に移動することを許容する第２の位置とを取ることが可能であり、前記把手部を動かすことにより前記規制部を第１の位置から第２の位置に変更することが可能であることを特徴とする請求項１２又は１３に記載の感光体カートリッジ。
【請求項１５】
前記複数の現像カートリッジを前記感光体カートリッジに装着させたまま、前記感光体を前記感光体カートリッジから取り外し可能であることを特徴とする請求項１２乃至１４のいずれか１項に記載の感光体カートリッジ。
【請求項１６】
前記感光体カートリッジ側ガイド部は、前記複数の現像カートリッジに備えられた現像ローラが、前記感光体の曲率をもった周面に対向するように前記現像カートリッジをガイドすることを特徴とする請求項１２乃至１５のいずれか１項に記載の感光体カートリッジ。
【請求項１７】
前記感光体を前記感光体カートリッジから取り出す時に、前記感光体が、前記感光体の軸方向又は前記現像カートリッジと離隔する方向に移動可能なように設けられていることを特徴とする請求項１２乃至１６のいずれか１項に記載の感光体カートリッジ。